(57)【要約】【課題】  腕時計ケースに近いバンド取付駒とバンド連結駒とが外力によって大きく曲がるのを防ぐことができる時計バンドを提供する。【解決手段】  腕時計ケースのバンド取付部に第１連結ピン４によって取り付けられるバンド取付駒５と、このバンド取付駒５に第２連結ピン６によって取り付けられるバンド連結駒７と、このバンド連結駒７に第３連結ピン８によって順次連結される複数のバンド駒９とを備え、バンド取付駒５には腕時計ケースの側面に当接するストッパ部１２が設けられており、バンド連結駒７にはバンド取付駒５に対する相対的な回転を規制する回転止め部１５が設けられている。従って、バンド取付駒５のストッパ部１２によって腕時計ケースに対するバンド取付駒５の回転を規制できると共に、バンド連結駒７の回転止め部１５によってバンド取付駒５に対するバンド連結駒７の回転を規制できる。【選択図】        図７
2007135876.tif 000002
【特許請求の範囲】
【請求項１】
腕時計ケースのバンド取付部に第１連結ピンによって取り付けられるバンド取付駒と、このバンド取付駒に第２連結ピンによって取り付けられるバンド連結駒と、このバンド連結駒に第３連結ピンによって順次連結される複数のバンド駒とを備えた時計バンドにおいて、
前記バンド取付駒は、前記腕時計ケースの側面に当接して回動を規制するストッパ部を有し、
前記バンド連結駒は、前記バンド取付駒の後端部側を覆ってその後方に突出した状態で前記バンド取付駒に前記第２連結ピンによって取り付けられると共に後方に突出した後端部の両側に一対の係止爪が設けられた駒本体と、この駒本体の前記後端部内に前記一対の係止爪によって連結部の両側の一対の筒状部が抱え込まれると共にこの一対の筒状部内に前記第３連結ピンが挿入する連結片と、前記バンド取付駒と前記バンド連結駒との相対的な回転を規制する回転止め部とを有していることを特徴とする時計バンド。
【請求項２】
前記回転止め部は、前記駒本体に設けられて前記連結片の前記一対の筒状部を抱え込む前記一対の係止爪の各先端部が、前記バンド取付駒の前記後端部の端面に当接することにより、前記バンド取付駒と前記バンド連結駒との相対的な回転を規制することを特徴とする請求項１に記載の時計バンド。
【請求項３】
前記回転止め部は、前記バンド取付駒の前記後端部の両側に係止凹部がそれぞれ設けられ、前記駒本体に前記連結片の前記一対の筒状部を抱え込む前記一対の係止爪が前記係止凹部内に向けて突出して設けられ、前記一対の係止爪が前記係止凹部にそれぞれ挿入して当接することにより、前記バンド取付駒と前記バンド連結駒との相対的な回転を規制することを特徴とする請求項１に記載の時計バンド。
【請求項４】
前記回転止め部は、前記連結片の前記連結部に固定突起部が設けられ、この固定突起部が前記バンド取付駒と前記駒本体との間に挟まれて配置されることにより、前記バンド取付駒と前記バンド連結駒との相対的な回転を規制することを特徴とする請求項１に記載の時計バンド。
【請求項５】
前記バンド連結部が重なる前記バンド取付駒の表面には、前記固定突起部を収納する固定凹部が設けられていることを特徴とする請求項４に記載の時計バンド。
【請求項６】
前記回転止め部は、前記駒本体における前記一対の係止爪の近傍に一対の当接部が前記バンド取付駒の前記後端部に向けてそれぞれ突出して設けられ、この一対の当接部が前記バンド取付駒の前記後端部の裏面側に当接することにより、前記バンド取付駒と前記バンド連結駒との相対的な回転を規制することを特徴とする請求項１に記載の時計バンド。
【発明の詳細な説明】
【技術分野】
【０００１】
この発明は、複数のバンド駒を順次連結してなる時計バンドに関する。
【背景技術】
【０００２】
従来、時計バンドにおいては、特許文献１に記載されているように、複数のバンド駒をそれぞれ連結突起部によって順次連結し、この状態で一端部側のバンド駒を腕時計ケースのバンド取付部にピン部材によって取り付けた構成になっている。
【特許文献１】特開２０００−３００３１５号
【発明の開示】
【発明が解決しようとする課題】
【０００３】
しかしながら、このような従来の時計バンドでは、腕時計ケースのバンド取付部に一端部側のバンド駒をピン部材によって取り付けた構成であるから、ピン部材を中心にバンド駒が腕時計ケースに対して回動するため、バンド取付部とこれに取り付けられるバンド駒とが外力によって大きく折れ曲がり、その外力がピン部材に集中するので、ピン部材、またはバンド取付部、あるいはこれに取り付けられるバンド駒が破損する恐れがあるという問題がある。
【０００４】
このような問題を回避するため、バンド取付部に取り付けられるバンド駒に、腕時計ケースの側面に当接してバンド駒の回転を規制する突起部を設けることにより、ピン部材に外力が集中するのを防ぐように構成したものがある。しかし、このような構成では、腕時計ケースのバンド取付部に取り付けられるバンド駒の回動を規制することができても、このバンド駒に連結される二番目のバンド駒がピン部材を中心に回動するため、この二番目のバンド駒が外力によって大きく折れ曲がり、この二番目のバンド駒のピン部材に外力が集中しやすくなるという問題がある。なお、このような問題は、特に腕時計ケースに近い位置に存在するバンド駒のみに発生する。
【０００５】
この発明が解決しようとする課題は、腕時計ケースに近い位置のバンド取付駒およびバンド連結駒が外力によって大きく折れ曲がるのを防ぐことができる時計バンドを提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図２２に示すように、腕時計ケース（２）のバンド取付部（３）に第１連結ピン（４）によって取り付けられるバンド取付駒（５）と、このバンド取付駒に第２連結ピン（６）によって取り付けられるバンド連結駒（７）と、このバンド連結駒に第３連結ピン（８）によって順次連結される複数のバンド駒（９）とを備えた時計バンドにおいて、
前記バンド取付駒は、前記腕時計ケースの側面に当接して回動を規制するストッパ部（１２）を有し、前記バンド連結駒は、前記バンド取付駒の後端部（１１）側を覆ってその後方に突出した状態で前記バンド取付駒に前記第２連結ピンによって取り付けられると共に後方に突出した後端部の両側に一対の係止爪（１８、３２）が設けられた駒本体（１３）と、この駒本体の前記後端部内に前記一対の係止爪によって連結部（２０）の両側の一対の筒状部（１９）が抱え込まれると共にこの一対の筒状部内に前記第３連結ピンが挿入する連結片（１４）と、前記バンド取付駒と前記バンド連結駒との相対的な回転を規制する回転止め部（１５、３１、４１、５１）とを有していることを特徴とする時計バンドである。
【０００８】
請求項２に記載の発明は、図１〜図９に示すように、前記回転止め部（１５）が、前記駒本体（１３）に設けられて前記連結片（１４）の前記一対の筒状部（１９）を抱え込む前記一対の係止爪（１８）の各先端部を、前記バンド取付駒（５）の前記後端部（１１）の端面に当接させることにより、前記バンド取付駒と前記バンド連結駒（７）との相対的な回転を規制することを特徴とする請求項１に記載の時計バンドである。
【０００９】
請求項３に記載の発明は、図１０〜図１３に示すように、前記回転止め部（３１）が、前記バンド取付駒（５）の前記後端部（１１）の両側に係止凹部（３３）をそれぞれ設け、前記駒本体（１３）に前記連結片（１４）の前記一対の筒状部（１９）を抱え込む前記一対の係止爪（３２）を前記係止凹部内に向けて突出させて設け、前記一対の係止爪を前記係止凹部にそれぞれ挿入して当接させることにより、前記バンド取付駒と前記バンド連結駒（７）との相対的な回転を規制することを特徴とする請求項１に記載の時計バンドである。
【００１０】
請求項４に記載の発明は、図１４〜図１９に示すように、前記回転止め部（４１）が、前記連結片（１４）の前記連結部（２０）に固定突起部（４２）を設け、この固定突起部を前記バンド取付駒（５）と前記駒本体（１３）との間に挟んで配置することにより、前記バンド取付駒と前記バンド連結駒（７）との相対的な回転を規制することを特徴とする請求項１に記載の時計バンドである。
【００１１】
請求項５に記載の発明は、図１４〜図１９に示すように、前記バンド連結部（７）が重なる前記バンド取付駒（５）の表面に、前記固定突起部（４２）を収納入する固定凹部（４３）が設けられていることを特徴とする請求項４に記載の時計バンドである。
【００１２】
請求項６に記載の発明は、図２０〜図２２に示すように、前記回転止め部（５１）が、前記駒本体（１３）における前記一対の係止爪（１８）の近傍に一対の当接部（５２）を前記バンド取付駒（５）の前記後端部（１１）に向けてそれぞれ突出させて設け、この一対の当接部を前記バンド取付駒の前記後端部の裏面側に当接させることにより、前記バンド取付駒と前記バンド連結駒（７）との相対的な回転を規制することを特徴とする請求項１に記載の時計バンドである。
【発明の効果】
【００１３】
請求項１に記載の発明によれば、腕時計ケースのバンド取付部に第１連結ピンによって取り付けられるバンド取付駒と、このバンド取付駒に第２連結ピンによって取り付けられるバンド連結駒と、このバンド連結駒に第３連結ピンによって順次連結される複数のバンド駒とを備え、バンド取付駒には腕時計ケースの側面に当接して回動を規制するストッパ部を設け、バンド連結駒にはバンド取付駒に対する相対的な回転を規制する回転止め部を設けていることにより、バンド取付駒のストッパ部によって腕時計ケースのバンド取付部に対するバンド取付駒の回転を規制することができると共に、バンド連結駒の回転止め部によってバンド取付駒に対するバンド連結駒の回転を規制することができ、これにより腕時計ケースに近い位置に存在するバンド取付駒およびバンド連結駒が外力によって第１、第２連結ピンを中心に回動して大きく折れ曲がるのを防ぐことができ、第１、第２連結ピン、バンド取付部、バンド取付駒、およびバンド連結駒が外力によって破損するのを防ぐことができる。
【００１４】
この場合、特にバンド連結駒は、バンド取付駒の後端部側を覆ってその後方に突出した状態でバンド取付駒に第２連結ピンによって取り付けられると共に後方に突出した後端部の両側に一対の係止爪が設けられた駒本体と、この駒本体の後端部内に一対の係止爪によって連結部の両側の一対の筒状部が抱え込まれると共にこの一対の筒状部内に第３連結ピンが挿入する連結片とを有しているので、第３連結ピンをガタツクことなく確実にバンド連結駒に取り付けることができ、これによりバンド連結駒にバンド駒を良好に連結することができる。
【００１５】
また、このバンド連結駒の回転止め部は、駒本体の一対の係止爪をバンド取付駒の後端部の端面に当接させる構成、または連結片の一部をバンド取付駒と駒本体とで挟む構成、あるいは駒本体の一部をバンド取付駒の後部裏面側に当接させる構成であることにより、バンド取付駒に対するバンド連結駒の回転を確実に規制することができ、これによりバンド連結駒が外力によって第２連結ピンを中心に回動して大きく折れ曲がるのを確実に防ぐことができる。
【００１６】
請求項２に記載の発明によれば、回転止め部が、駒本体に設けられて連結片の一対の筒状部を抱え込む一対の係止爪の各先端部をバンド取付駒の後端面に当接させることにより、バンド取付駒とバンド連結駒との相対的な回転を規制するので、請求項１に記載の発明と同様、バンド取付駒に対するバンド連結駒の回転を確実に規制することができ、これによりバンド連結駒が外力によって第２連結ピンを中心に回動して大きく折れ曲がるのを確実に防ぐことができる。
【００１７】
請求項３に記載の発明によれば、回転止め部が、バンド取付駒の後端部の両側に係止凹部をそれぞれ設け、駒本体に一対の筒状部を抱え込む一対の係止爪を係止凹部内に向けて突出させて設け、この一対の係止爪を係止凹部にそれぞれ挿入して当接させることにより、バンド取付駒とバンド連結駒との相対的な回転を規制するので、請求項２に記載の発明と同様、バンド連結駒が外力によって第２連結ピンを中心に回動して大きく折れ曲がるのを確実に防ぐことができるほか、特にバンド連結駒の一対の係止爪の各先端部がバンド取付駒の係止凹部にそれぞれ挿入することにより、バンド取付駒に対してバンド連結駒を位置規制することができ、これによりバンド取付駒に対するバンド連結駒のガタツキを防ぐことができると共に、バンド連結駒をバンド取付駒に正確に且つ確実に取り付けることができる。
【００１８】
請求項４に記載の発明によれば、回転止め部が、連結片の連結部に固定突起部を設け、この固定突起部をバンド取付駒と駒本体との間に挟んで配置することにより、バンド取付駒とバンド連結駒との相対的な回転を規制するので、請求項１に記載の発明と同様、バンド取付駒に対するバンド連結駒の回転を確実に規制することができ、これによりバンド連結駒が外力によって第２連結ピンを中心に回動して大きく折れ曲がるのを確実に防ぐことができる。
【００１９】
請求項５に記載の発明によれば、バンド連結駒が重なるバンド取付駒の表面に、固定突起部を収納する固定凹部が設けられていることにより、請求項４に記載の発明と同様、バンド連結駒が外力によって第２連結ピンを中心に回動して大きく折れ曲がるのを確実に防ぐことができるほか、特にバンド連結駒の連結片に設けられた固定突起部がバンド取付駒の固定凹部に収納されることにより、バンド取付駒に対してバンド連結駒を位置規制することができ、これによりバンド取付駒に対するバンド連結駒のガタツキを防ぐことができると共に、バンド連結駒をバンド取付駒に正確に且つ確実に取り付けることができる。
【００２０】
請求項６に記載の発明によれば、回転止め部が、駒本体における一対の係止爪の近傍に一対の当接部をバンド取付駒の後端部に向けてそれぞれ突出させて設け、この一対の当接部をバンド取付駒の後端部の裏面側に当接させることにより、バンド取付駒とバンド連結駒との相対的な回転を規制するので、請求項１に記載の発明と同様、バンド取付駒に対するバンド連結駒の回転を確実に規制することができ、これによりバンド連結駒が外力によって第２連結ピンを中心に回動して大きく折れ曲がるのを確実に防ぐことができる。
【発明を実施するための最良の形態】
【００２１】
（実施形態１）
以下、図１〜図９を参照して、この発明を適用した時計バンドの実施形態１について説明する。
図１はこの発明の時計バンドを腕時計ケースに取り付けた状態の正面図、図２は図１の側面図、図３は図１の時計バンドを一部分解した拡大斜視図、図４は図１の時計バンドを拡大した正面図、図５は図４の側面図、図６は図３の時計バンドを分解した斜視図、図７は図６の時計バンドを裏面側から見た分解斜視図、図８は図４のＡ−Ａ矢視における断面図である。
【００２２】
この時計バンド１は、図１および図２に示すように、腕時計ケース２の外周面における１２時側および６時側に位置する箇所にそれぞれ設けられたバンド取付部３に取り付けられている。すなわち、この時計バンド１は、図３〜図５に示すように、腕時計ケース２のバンド取付部３に第１連結ピン４によって取り付けられるバンド取付駒５と、このバンド取付駒５に第２連結ピン６によって取り付けられるバンド連結駒７と、このバンド連結駒７に第３連結ピン８によって順次連結される複数のバンド駒９とを備えている。
【００２３】
バンド取付駒５は、図３〜図７に示すように、腕時計ケース２のバンド取付部３内に挿入する前端部１０と、バンド取付部３から突出する後端部１１とを合成樹脂で一体に形成した構成で、後端部１１がバンド取付部３の幅とほぼ同じ大きさで、前端部１０の幅よりも広く形成されている。この前端部１０には、第１連結ピン４が挿入するピン挿入孔１０ａが時計バンド１の長手方向と直交する幅方向に貫通して設けられており、この前端部１０の下面には、その前端部１０をバンド取付部３内に挿入したときに、腕時計ケース２の側面下部に当接して腕時計ケース２に対するバンド取付駒５の回転を規制するストッパ部１２が設けられている。
【００２４】
また、このバンド取付駒５の前端部１０は、バンド取付部３内に挿入されたときに、バンド取付部３の両側にそれぞれ設けられた取付孔３ａにピン挿入孔１０ａが対応し、この状態でバンド取付部３の一方の取付孔３ａから第１連結ピン４がピン挿入孔１０ａに圧入してバンド取付部３の他方の取付孔３ａに挿入することにより、バンド取付部３に取り付けられている。また、バンド取付駒５の後端部１１には、第２連結ピン６が挿入するピン挿入孔１１ａが幅方向に貫通して設けられている。この場合、第２連結ピン６は、ばね棒であり、筒状部材の内部両側にばね部材によって出没可能に押し出されるピン部材をそれぞれ設けた構成になっている。
【００２５】
バンド連結駒７は、図６および図７に示すように、バンド取付駒５に前端部側が第２連結ピン６によって取り付けられる駒本体１３と、この駒本体１３の後端部側に設けられて第３連結ピン８が挿入する連結片１４と、バンド取付駒５とバンド連結駒７との相対的な回転を規制する回転止め部１５とを備えている。駒本体１３は、金属板からなり、バンド取付駒５の後端部１１の上面および幅方向の両側面を覆うように形成され、その両側部に第２連結ピン６の両端部がそれぞれ挿入するピン取付孔１３ａが設けられていると共に、後端部側がバンド取付駒５の後端部１１の後方に突出した構成になっている。
【００２６】
この場合、駒本体１３の後方に突出した後端部側には、図６および図７に示すように、その中間部に矩形状の切欠け部１６が設けられていると共に、この切欠け部１６の両側下部に連結片１４が配置される保持部１７がそれぞれ設けられている。この保持部１７には、図７〜図９に示すように、連結片１４の両側部を駒本体１３の後端部内に抱え込む一対の係止爪１８がバンド取付駒５側に向けて斜め上方に傾斜して設けられている。すなわち、この一対の係止爪１８は、各保持部１７にそれぞれ切り込みを設けて舌状に形成し、この舌状に形成された付け根部分で折り曲げられて斜め上方に傾斜している。
【００２７】
また、バンド連結駒７の連結片１４は、図６および図７に示すように、駒本体１３の後端部における切欠け部１６の両側下部にそれぞれ設けられた保持部１７にそれぞれ配置されて第３連結ピン８が挿入する一対の筒状部１９と、この一対の筒状部１９を駒本体１３の後端部に設けられた切欠け部１６を避けて連結する連結部２０とを一体に形成した構成になっている。この場合、一対の筒状部１９には、駒本体１３の一対の係止爪１８がそれぞれ挿入する位置規制孔２１が設けられている。
【００２８】
これにより、連結片１４は、図８に示すように、駒本体１３の後端部内に配置されると、連結部２０が切欠け部１６を避けて一対の筒状部１９が駒本体１３の一対の保持部１７に配置され、この状態で一対の筒状部１９が駒本体１３の後端部の両側にそれぞれ設けられた一対の係止爪１８によって抱え込まれて固定されると共に、この一対の係止爪１８が一対の筒状部１９の各位置規制孔２１にそれぞれ挿入することにより、駒本体１３の後端部内に位置規制されて取り付けられている。
【００２９】
また、このバンド連結駒７の回転止め部１５は、図７および図８に示すように、駒本体１３の後端部における両側の保持部１７に設けられて連結片１４の一対の筒状部１９を駒本体１３の後端部内に抱え込んで固定する一対の係止爪１８の各先端部が、バンド取付駒５の後端部１１の端面にそれぞれ当接することにより、バンド取付駒５に対するバンド連結駒７の相対的な回転を規制するように構成されている。
【００３０】
一方、バンド駒９は、図６〜図９に示すように、本体部２２の先端部に連結突起部２３が設けられ、本体部２２の後部に隣接するバンド駒９の連結突起部２３が挿入する連結切欠け部２４が設けられた構成になっている。この場合、バンド連結駒７に隣接するバンド駒９の連結突起部２３は、バンド連結駒７の駒本体１３に設けられた切欠け部１６内に挿入すると共に、その幅方向に第３連結ピン８が挿入するピン挿入孔２３ａがバンド連結駒７の連結部１４の一対の筒状部１９に対応して設けられた構成になっている。また、本体部２２の連結切欠け部２４の両側に位置する後部には、第３連結ピン８が挿入するピン挿入孔２５が設けられている。
【００３１】
次に、この時計バンド１を腕時計ケース２のバンド取付部３に取り付ける場合について説明する。
この場合には、予め、複数のバンド駒９を順次連結する。すなわち、１つのバンド駒９の本体部２２の後部に設けられた連結切欠け部２４内に他の隣接するバンド駒９の連結突起部２３を挿入し、この状態で第３連結ピン８を本体部２２の後部に設けられた一方側のピン挿入孔２５から他のバンド駒９の連結突起部２３に設けられたピン挿入孔２３ａに挿入すると共に、その第３連結ピン８の先端部を本体部２２の他方側のピン挿入孔２５に挿入する。これにより、隣接するバンド駒９同士が連結される。この作業を順次繰り返すことにより、複数のバンド駒９が順次連結される。
【００３２】
次に、順次連結された複数のバンド駒９のうち、先端側のバンド駒９にバンド連結駒７を取り付ける。このときには、まず、先端側のバンド駒９の連結突起部２３をバンド連結駒７の連結片１４における一対の筒状部１９間に挿入させて、連結突起部２３のピン挿入孔２３ａに一対の筒状部１９を対応させ、この状態で第３連結ピン８を一方の筒状部１９から連結突起部２３のピン挿入孔２３ａに挿入すると共に、その第３連結ピン８の先端部を他方の筒状部１９に挿入する。これにより、バンド連結駒７の連結片１４が先端側のバンド駒９に連結される。
【００３３】
この状態で、連結片１４をバンド連結駒７の駒本体１３の後端部内に取り付ける。このときには、予め、駒本体１３の後端部に設けられた一対の係止爪１８を広げておき、この状態で連結片１４の一対の筒状部１９を駒本体１３の後端部内の両側に設けられた一対の保持部１７に配置する。そして、一対の係止爪１８を付け根部分で折り曲げて連結片１４の一対の筒状部１９を抱え込むと共に、折り曲げられた一対の係止爪１８を一対の筒状部１９の各位置規制孔２１にそれぞれ挿入させる。これにより、図８および図９に示すように、先端側のバンド駒９の連結突起部２３がバンド連結駒７の駒本体１３の後端部側に設けられた切欠け部１６内に配置された状態で、バンド連結駒７が先端側のバンド駒９に連結される。
【００３４】
次に、バンド連結駒７にバンド取付駒５を取り付ける。このときには、バンド取付駒５の後端部１１に設けられたピン挿入孔１１ａにばね棒である第２連結ピン６を挿入し、この第２連結ピン６の両端部を内部に押し込んだ状態で、バンド取付駒５の後端部１１にバンド連結駒７の駒本体１３を重ねるように装着させる。すると、第２連結ピン６の両端部が内部のばね部材（図示せず）によって押し出されて駒本体１３の両側のピン取付孔１３ａにそれぞれ挿入する。これにより、バンド取付駒５がバンド連結駒７に取り付けられる。この状態では、バンド連結駒７の駒本体に設けられた一対の係止爪１８の各先端部がバンド取付駒５の後端部１１の端面に当接し、これによりバンド連結駒７とバンド取付駒５との相対的な回転が規制される。
【００３５】
そして、このバンド取付駒５を腕時計ケース２のバンド取付部３に取り付ける。このときには、バンド取付駒５の前端部１０をバンド取付部３内に挿入して、バンド取付駒５の前端部１０に設けられたピン挿入孔１０ａをバンド取付部３の取対孔３ａに対応させる。この状態で、第１連結ピン４をバンド取付部３の一方の取付孔３ａからバンド取付駒５のピン挿入孔１０ａに圧入させると共に、その第１連結ピン４の先端部をバンド取付部３の他方の取付孔３ａに挿入させる。これにより、バンド取付駒５が腕時計ケース２のバンド取付部３に取り付けられる。
【００３６】
この状態では、バンド取付駒５の前端部１０に設けられたストッパ部１２が腕時計ケース２の側面下部に当接し、これにより腕時計ケース２に対するバンド取付駒５の回転が規制される。なお、腕時計ケース２から時計バンド１を取り外す場合には、バンド連結駒７の駒本体１３に設けられたピン取付孔１３ａを通して、ばね棒である第２連結ピン６の両端部を押し込むことにより、バンド取付駒５とバンド連結駒７とを取り外すことができ、これにより腕時計ケース２から時計バンド１を取り外すことができる。
【００３７】
このように、この時計バンド１によれば、腕時計ケース２のバンド取付部３に第１連結ピン４によって取り付けられるバンド取付駒５と、このバンド取付駒５に第２連結ピン６によって取り付けられるバンド連結駒７と、このバンド連結駒７に第３連結ピン８によって順次連結される複数のバンド駒９とを備え、バンド取付駒５には腕時計ケース２の側面に当接して回動を規制するストッパ部１２が設けられ、バンド連結駒７にはバンド取付駒５に対する相対的な回転を規制する回転止め部１５が設けられていることにより、バンド取付駒５のストッパ部１２によって腕時計ケース２に対するバンド取付駒５の回転を規制することができると共に、バンド連結駒７の回転止め部１５によってバンド取付駒５に対するバンド連結駒７の回転を規制することができる。
【００３８】
このため、腕時計ケース２に最も近い位置のバンド取付駒５および次に近い位置のバンド連結駒７が外力によって第１、第２連結ピン４、６を中心に回動して大きく折れ曲がるのを確実に防ぐことができる。これにより、第１、第２連結ピン４、６に外力が集中するのを防ぐことができ、このため第１、第２連結ピン４、６、バンド取付部３、バンド取付駒５、およびバンド連結駒７が外力によって破損するのを防ぐことができる。
【００３９】
特に、バンド連結駒７は、バンド取付駒７の後端部１１側を覆ってその後方に突出した状態でバンド取付駒７に第２連結ピン６によって取り付けられると共に後方に突出した後端部の両側に一対の係止爪１８が設けられた駒本体１３と、この駒本体１３の後端部内に一対の係止爪１８によって連結部２０の両側の一対の筒状部１９が抱え込まれると共にこの一対の筒状部１９内に第３連結ピン８が挿入する連結片１４とを有しているので、第３連結ピン８をガタツクことなく確実にバンド連結駒７に取り付けることができ、これによりバンド連結駒７にバンド駒９を良好に連結することができる。
【００４０】
また、バンド連結駒７の回転止め部１５は、駒本体１３に設けられて連結片１４の一対の筒状部１９を抱え込む一対の係止爪１８の各先端部がバンド取付駒５の後端部１１の端面に当接することにより、バンド取付駒５とバンド連結駒７との相対的な回転を規制するので、バンド取付駒５に対するバンド連結駒７の回転を確実に規制することができ、これによりバンド連結駒７が外力によって第２連結ピン６を中心に回動して大きく折れ曲がるのを確実に防ぐことができる。
【００４１】
（実施形態２）
次に、図１０〜図１３を参照して、この発明を適用した時計バンドの実施形態２について説明する。なお、図１〜図９に示された実施形態１と同一部分には同一符号を付して説明する。
この時計バンド３０は、バンド連結駒７の回転止め部３１が実施形態１と異なる構成で、これ以外は実施形態１とほぼ同じ構成になっている。すなわち、この回転止め部３１は、バンド連結駒７の駒本体１３に設けられた一対の係止爪３２を実施形態１の係止爪１８よりも長く形成して斜め上方に向けて傾斜させ、且つバンド取付駒５の後端部１１の両側に一対の係止爪３２が挿入して当接する一対の係止凹部３３を設けた構成になっている。
【００４２】
この場合、一対の係止爪３２は、図１２に示すように、バンド連結駒７の駒本体１３における両側の保持部１７から突出する長さで、その各保持部１７にそれぞれ切り込みを設けて保持部１７よりも長い舌状に形成すると共に、この舌状に形成された付け根部分で折り曲げられることにより、バンド取付駒５側に向けて斜め上方に実施形態１の係止爪１８よりも長く形成して斜め上方に向けて傾斜させた構成になっている。また、バンド取付駒５の後端部１１の両側に設けられた一対の係止凹部３３は、その幅が係止爪３２の幅とほぼ同じ広さで形成されていると共に、その底部が係止爪３２とほぼ同じ傾斜で形成され、この傾斜した底部に係止爪３２がそれぞれ当接するように構成されている。
【００４３】
このような時計バンド３０によれば、実施形態１と同様の作用効果があるほか、回転止め部３１が、バンド連結駒７の駒本体１３に設けられて連結片１４の一対の筒状部１９を抱え込む一対の係止爪３２と、バンド取付駒５の後端部１１の両側に設けられて一対の係止爪３２の各先端部が挿入して当接する係止凹部３３とを有するので、実施形態１よりも良好にバンド取付駒５に対するバンド連結駒７の回転を規制することができる。この場合、特にバンド連結駒７の一対の係止爪３２の各先端部がバンド取付駒５の係止凹部３３にそれぞれ挿入することにより、バンド取付駒５に対してバンド連結駒７を位置規制することができ、これによりバンド取付駒５に対するバンド連結駒７のガタツキを防ぐことができると共に、バンド連結駒７をバンド取付駒５に正確に且つ確実に取り付けることができる。
【００４４】
（実施形態３）
次に、図１４〜図１９を参照して、この発明を適用した時計バンドの実施形態３について説明する。この場合にも、図１〜図９に示された実施形態１と同一部分に同一符号を付して説明する。
この時計バンド４０は、バンド連結駒７の回転止め部４１が実施形態１と異なる構成で、これ以外は実施形態１とほぼ同じ構成になっている。すなわち、この回転止め部４１は、図１６〜図１９に示すように、バンド連結部７の連結片１４の連結部２０に固定突起部４２が設けられ、この固定突起部４２がバンド取付駒５と駒本体１３との間に挟まれて配置されることにより、バンド取付駒５とバンド連結駒７との相対的な回転を規制するように構成されている。
【００４５】
この場合、固定突起部４２は、図１８（ａ）および図１８（ｂ）に示すように、連結片１４における連結部２０の中間部からバンド取付駒５の後端部１１の上面に向けて突出した四角形の枠状に形成されている。また、バンド取付駒５の後端部１１の上面には、図１９に示すように、固定突起部４２を収納する固定凹部４３がほぼ四角形の枠状に設けられている。なお、この場合にも、バンド連結駒７の駒本体１３には、連結片１４の一対の筒状部１９を抱え込む一対の係止爪１８が斜め上方に傾斜して設けられている。また、バンド取付駒５の後端部１１の両側には、係止凹部３３が設けられている。
【００４６】
このような時計バンド４０によれば、実施形態１と同様の作用効果があるほか、特に回転止め部４１が、バンド連結駒７の連結片１４の連結部２０に固定突起部４２が設けられ、この固定突起部４２がバンド取付駒５とバンド連結駒７の駒本体１３との間に挟まれて配置されることにより、バンド取付駒５とバンド連結駒７との相対的な回転を規制するので、実施形態１と同様、バンド取付駒５に対するバンド連結駒７の回転を確実に規制することができ、これによりバンド連結駒７が外力によって第２連結ピン６を中心に回動して大きく折れ曲がるのを確実に防ぐことができる。
【００４７】
この場合には、バンド取付駒５の後端部１１の上面に、バンド連結駒７の連結片１４に設けられた固定突起部４２を収納する固定凹部４３が設けられていることにより、バンド連結駒７の連結片１４の固定突起部４２がバンド取付駒５の固定凹部４３に収納されて配置されることにより、バンド取付駒５に対してバンド連結駒７を位置規制することができ、これによりバンド取付駒５に対するバンド連結駒７のガタツキを防ぐことができると共に、バンド連結駒７をバンド取付駒５に正確に且つ確実に取り付けることができる。
【００４８】
なお、上記実施形態３では、バンド連結駒７の連結片１４に設けられた固定突起部４２が四角形の枠状に形成されている場合について述べたが、必ずしも四角形の枠状に形成する必要はなく、固定突起部は連結部２０からバンド取付駒７の後端部１１の上面に向けて突出する構成であれば、どのような形状であっても良い。このため、バンド取付駒７の後端部１１の上面に設けられる固定凹部４３も、四角形の枠状である必要はなく、固定突起部を収納する形状であれば、どのような形状の凹部であっても良い。このような構成でも、実施形態３と同様の作用効果がある。
【００４９】
（実施形態４）
次に、図２０〜図２２を参照して、この発明を適用した時計バンドの実施形態４について説明する。この場合にも、図１〜図９に示された実施形態１と同一部分に同一符号を付して説明する。
この時計バンド５０は、バンド連結駒７の回転止め部５１が実施形態１と異なる構成で、これ以外は実施形態１とほぼ同じ構成になっている。
【００５０】
すなわち、この回転止め部５１は、図２１および図２２に示すように、バンド連結駒７の駒本体１３における一対の係止爪１８の近傍に一対の当接部５２がバンド取付駒５の後端部１１に向けてそれぞれ突出して設けられ、この一対の当接部５２がバンド取付駒５の後端部１１の裏面側に当接することにより、バンド取付駒５とバンド連結駒７との相対的な回転を規制するように構成されている。この場合、一対の当接部５２は、図２２（ｂ）に示すように、バンド連結駒７の駒本体１３の後部両側に設けられた一対の保持部１７を実施形態１よりも十分に長く形成し、この一対の保持部１７の各中央部に係止爪１８をそれぞれ舌状に切り抜いて形成することにより、一対の保持部１７の各先端部にそれぞれ形成されている。
【００５１】
このような時計バンド５０によれば、実施形態１と同様の作用効果があるほか、特に回転止め部５１が、バンド連結駒７の駒本体１３における一対の係止爪１８の近傍に一対の当接部５２がバンド取付駒５の後端部１１に向けてそれぞれ突出して設けられ、この一対の当接部５２がバンド取付駒５の後端部１１の裏面側に当接することにより、バンド取付駒５とバンド連結駒７との相対的な回転を規制するので、バンド連結駒７が外力によって第２連結ピン６を中心に回動して大きく折れ曲がるのを確実に防ぐことができる。これにより、第１、第２連結ピン４、６に外力が集中するのを防ぐことができるので、実施形態１と同様、第１、第２連結ピン４、６、バンド取付部３、バンド取付駒５、およびバンド連結駒７が外力によって破損するのを防ぐことができる。
【００５２】
なお、上記実施形態４では、一対の当接部５２が、バンド連結駒７の駒本体１３の後部両側に設けられた一対の保持部１７を実施形態１よりも十分に長く形成し、この一対の保持部１７の各中央部に係止爪１８をそれぞれ舌状に切り抜いて形成することにより、一対の保持部１７の各先端部にそれぞれ形成されている場合について述べたが、これに限らず、例えば、一対の保持部１７を十分に長く突出させ、この一対の保持部１７にそれぞれ切り込みを設けて各係止爪１８を形成することにより、各係止爪１８の両側に位置する各保持部１７の各先端部を突出させて当接部をそれぞれ形成した構成でも良い。このような構成でも、実施形態４と同様の作用効果がある。
【図面の簡単な説明】
【００５３】
【図１】この発明を適用した時計バンドを腕時計ケースに取り付けた状態の正面図である。（実施形態１）
【図２】図１の側面図である。
【図３】図１の時計バンドを一部分解した拡大斜視図である。
【図４】図１の時計バンドを示した拡大正面図である。
【図５】図４の時計バンドの側面図である。
【図６】図３の時計バンドを分解した斜視図である。
【図７】図６の時計バンドを裏面側から見た分解斜視図である。
【図８】図４のＡ−Ａ矢視における断面図である。
【図９】図３においてバンド駒に取り付けられたバンド連結駒を裏面側から見た要部の拡大斜視図である。
【図１０】この発明を適用した時計バンドを示した拡大正面図である。（実施形態２）
【図１１】図１０の時計バンドを一部分解した拡大斜視図である。
【図１２】図１０のＢ−Ｂ矢視における断面図である。
【図１３】図１１においてバンド駒に取り付けられたバンド連結駒を裏面側から見た要部の拡大斜視図である。
【図１４】この発明を適用した時計バンドを示した拡大正面図である。（実施形態３）
【図１５】図１４の時計バンドの側面図である。
【図１６】図１４のＣ−Ｃ矢視における断面図である。
【図１７】図１４のＤ−Ｄ矢視における断面図である。
【図１８】図１７のバンド連結駒の連結片を示し、（ａ）はその連結片を斜め上方から見た斜視図、（ｂ）はその連結片を斜め下方から見た斜視図である。
【図１９】図１４のバンド取付駒の斜視図である。
【図２０】この発明を適用した時計バンドを示した拡大正面図である。（実施形態４）
【図２１】図２０のＥ−Ｅ矢視における断面図である。
【図２２】図２１のバンド連結駒の駒本体を示し、（ａ）はその駒本体を斜め上方から見た斜視図、（ｂ）はその駒本体を斜め下方から見た斜視図である。
【符号の説明】
【００５４】
１、３０、４０、５０  時計バンド
２  腕時計ケース
３  バンド取付部
４  第１連結ピン
５  バンド取付駒
６  第２連結ピン
７  バンド連結駒
８  第３連結ピン
９  バンド駒
１０  バンド取付駒の前端部
１１  バンド取付駒の後端部
１２  ストッパ部
１３  駒本体
１４  連結片
１５、３１、４１、５１  回転止め部
１８、３２  係止爪
１９  筒状部
２０  連結部
３３  係止凹部
４２  固定突起部
４３  固定凹部
５２  当接部
【図１】
2007135876.tif 000003
【図２】
2007135876.tif 000004
【図３】
2007135876.tif 000005
【図４】
2007135876.tif 000006
【図５】
2007135876.tif 000007
【図６】
2007135876.tif 000008
【図７】
2007135876.tif 000009
【図８】
2007135876.tif 000010
【図９】
2007135876.tif 000011
【図１０】
2007135876.tif 000012
【図１１】
2007135876.tif 000013
【図１２】
2007135876.tif 000014
【図１３】
2007135876.tif 000015
【図１４】
2007135876.tif 000016
【図１５】
2007135876.tif 000017
【図１６】
2007135876.tif 000018
【図１７】
2007135876.tif 000019
【図１８】
2007135876.tif 000020
【図１９】
2007135876.tif 000021
【図２０】
2007135876.tif 000022
【図２１】
2007135876.tif 000023
【図２２】
2007135876.tif 000024